(57)【要約】【課題】電気柵用のポストに張設されたワイヤに加わる野生動物による引張力が吸収可能で、引張力解放後は元の状態に復帰できる動物用簡易柵のコーナーポストを提供する。【解決手段】耕作地Ｃの周囲に設置する電気柵１０に架線するワイヤ２をコーナー部で保持する動物用簡易柵のコーナーポストＣＰを、地面に立設した弾性を備える第１のポスト１と、第１のポスト１に所定間隔で複数設けられてワイヤ２を保持位置変更可能に保持する架線具６と、基部が地面に対して斜めに固定され、先端部が第１のポスト１に連結部材４によって搖動可能に連結された、弾性を備える少なくとも１本の第２のポスト３とから形成し、ワイヤ２からコーナーポストＣＰに加わる引張荷重には第１と第２のポスト１，３の変形と架線具６によるワイヤ保持位置変更で対応し、引張荷重消滅後は第１と第２のポスト１，３の弾性力で元の状態に復元してワイヤ２の切断を防止する。【選択図】図１０
2016192921.tif 000002
【特許請求の範囲】
【請求項１】
動物の通行を阻止する動物用柵において、ワイヤの張設方向を変更するコーナー部に設置する動物用簡易柵のコーナーポストであって、
少なくとも１本の弾性を有するポストを含む複数のポストと、
前記複数のポストの内の１本のポストの少なくとも１箇所に設けられ、前記ワイヤを保持して張設するワイヤ取付部とを備え、
前記複数のポストの内の、前記弾性を有するポストの内の少なくとも１本は地面に対して垂直方向に立設され、
前記地面に対して立設された前記ポストに対して、残りのポストは、連結部材によって互いに搖動可能に連結され、
前記ワイヤ取付部には、回転することにより前記ワイヤの保持位置を変更可能なプーリーが設けられ、
前記ワイヤに引張力が作用した場合には、前記地面に対して立設された前記ポストが弾性変形することによって、前記プーリーを元の位置から前記ポストに張設された前記ワイヤがなす内角の範囲内で前記地面に対して立設された前記ポストから離れる方向に移動させて前記ワイヤの保持位置を変え、前記ワイヤへの前記引張力が消滅した場合に復元して、前記プーリーを元の位置に復帰させることを特徴とする動物用簡易柵のコーナーポスト。
【請求項２】
前記地面に対して立設された前記ポストに対して、残りのポストは、その基部が前記地面に対して斜めに固定されていることを特徴とする請求項１に記載の動物用簡易柵のコーナーポスト。
【請求項３】
前記地面に対して立設された前記ポストと、前記残りのポストは全て弾性部材で形成されており、全ての前記ポストの弾性係数が同じであることを特徴とする請求項２に記載の動物用簡易柵のコーナーポスト。
【請求項４】
前記地面に対して立設された前記ポストに対して、前記残りのポストは前記ポストに張設された前記ワイヤがなす内角側に設置されることを特徴とする請求項１から３の何れか１項に記載の動物用簡易柵のコーナーポスト。
【請求項５】
前記地面に対して立設された前記ポストに連結される前記残りのポストが２本であることを特徴とする請求項１から４の何れか１項に記載の動物用簡易柵のコーナーポスト。
【請求項６】
前記連結部材はその中央部が前記地面に対して立設された前記ポストに固定され、両端部に前記残りのポストの先端部を挿通する孔が設けられていることを特徴とする請求項１から５の何れか１項に記載の動物用簡易柵のコーナーポスト。
【請求項７】
前記地面に対して立設された前記ポストは、その先端部が前記残りのポストに連結され、その基部が前記残りのポストの１本に第２の連結部材を介して連結されていることを特徴とする請求項１に記載の動物用簡易柵のコーナーポスト。
【請求項８】
前記第２の連結部材は、前記地面に対して立設された前記ポストに対して前記残りのポストの１本の基部を離間させることが可能な伸縮部材で形成されていることを特徴とする請求項７に記載の動物用簡易柵のコーナーポスト。
【請求項９】
前記地面に対して立設された前記ポストは、その先端部が前記残りのポストに連結され、その基部が伸縮部材を介して地面に固定されていることを特徴とする請求項１に記載の動物用簡易柵のコーナーポスト。
【請求項１０】
前記連結部材は、前記ワイヤに外力が印加されていない状態で前記地面に対して立設された前記ポストと前記残りのポストとのなす角度を一定に保持し、前記ワイヤに前記引張力が作用した場合に、前記地面に対して立設された前記ポストと前記残りのポストとのなす角度を増大させることを特徴とする請求項１に記載の動物用簡易柵のコーナーポスト。
【発明の詳細な説明】
【技術分野】
【０００１】
本発明は動物用簡易柵のコーナーポストに関し、特に、簡易的に設置する牧柵や電気柵のような動物用簡易柵におけるワイヤや導電ワイヤの張設時に、ポストの左右でワイヤの張設方向を変更するコーナーポストの改良に関する。
【背景技術】
【０００２】
我が国における耕作放棄地の拡大に伴い、耕作放棄地に牛や山羊、豚等の家畜を放牧する試みがある。耕作放棄地への家畜の放牧に際しては、家畜が耕作放棄地から出ないようにするために動物用の柵が設けられる。一方、近年、山林に住む野生動物が人里に下りてきて農作物を食い荒らす食害が深刻化している。家畜放牧の囲いや、野生動物による耕作地への侵入防止対策として、耕作地の周囲に適切な間隔でポスト（支柱）を設置して動物用の柵で囲むことが行われる。このような動物用の柵には、ポストにワイヤを掛け渡したり、ポスト間にフェンスを取り付けた牧柵が用いられる。
【０００３】
しかし、ワイヤやフェンスを用いた動物用の柵は、家畜や野生動物によって容易に破られることが多い。このため、ポストに張り巡らすワイヤを導電ワイヤ（以後単にワイヤと言う）とし、ワイヤに高い電圧を印加して、ワイヤに触れた家畜や野生動物を電気ショックで追い払う動物用の電気柵が普及しつつある。
【０００４】
電気柵は、動物の侵入を阻止したい耕作地の周囲に間隔を開けて設置したポストに、ワイヤを地面とは絶縁された状態で架線し、ワイヤに高電圧発生電源を接続してワイヤに高電圧の電気を一定の時間間隔で通電する柵である。電気柵は、架線されたワイヤに動物が触れると動物に電気ショックが与えられるので、ショックに怯えた動物がワイヤに近づかなくなる効果がある。高電圧の電気を印加するワイヤは、絶縁碍子をポストに取り付けて架線したり、ポストを絶縁材で形成して地面に平行に張ることが行われている。
【０００５】
ところが、ワイヤをポストに取り付けて架線し、地面に平行に張る架線方法では、動物の侵入でワイヤが動物の脚や角に引っかかって引っ張られると、その引張荷重が近傍のポストに加わり、ワイヤの伸長がない場合、ワイヤの切断、ワイヤを架線する碍子の破損、或いはポストの座屈が起こる。ワイヤが碍子上で固定されていない場合、ワイヤが引っ張られることによって生じる荷重（引張荷重）は、牧柵のコーナーに設置したコーナーポストに加わる。コーナーポストに加わる引張荷重がコーナーポストの物理的許容範囲内ならばワイヤが切れる場合がある。また、ワイヤが丈夫な場合は、コーナーポストの変形若しくは破壊により、電気柵として機能しなくなるという課題があった。
【０００６】
そこで、引用文献１に開示の牧柵では、コーナーポスト（中心柱）を牧柵の外側に固定点を持つ支線で支持すると共に、コーナーポストから所定距離離れた左右の位置に本柱を設け、コーナーポストと本柱の間を連結棒やターンバックルで連結して補強している。更に、本柱は一端を地面に固定した斜めの支柱で保持している。また、特許文献２に開示の電気式牧柵では、コーナーポスト（主杭）の地中部の異なる深さの部分に、補強枠として２本の横木を平行に取り付けると共に、主杭を一端を地面に固定した斜めの支柱で保持している。斜めの支柱の地中部にも横木が取り付けられている。
【０００７】
一方、コーナーポストを屈強に構成する逆の発想として、特許文献３には複数のワイヤを、柔軟な素材を用いたポストを用いて地面に平行に張るものが提案されている。
【先行技術文献】
【特許文献】
【０００８】
【特許文献１】特開昭５０−１１０８７５号公報
【０００９】
【特許文献２】特開昭６１−３１０３１号公報
【００１０】
【特許文献３】特開２００９−１９５２２９号公報
【発明の概要】
【発明が解決しようとする課題】
【００１１】
ところが、特許文献１や特許文献２に開示のコーナーポストには、コーナーポストの倒壊を防止するための補強部材が数多く取り付けられているので、コーナーポストの設置工数が大きいと共に、設置コストが高いという課題があった。また、引用文献３に開示のポストでは、柔軟な素材を用いた安価なポストを製作し、これをワイヤの張設方向を変更するコーナー部に設置すると、複数段のワイヤを設置する場合、１つのワイヤに大きな荷重（テンション）を加えると他のワイヤが緩んでしまい、全てのワイヤを水平に設置できずに柵としての効果が低下するか、柵の機能が無くなった。更に、引用文献３に開示のポストは１本の柱状体で構成されるので、このポストをコーナー部に設置すると、張設したワイヤに動物が突入して動物の脚や角がワイヤに引っかかり、瞬時に過大な荷重が加わると湾曲したままになったり、折れたりして、元の形状に復元できずに倒壊するという課題があった。
【００１２】
本発明の目的は、動物用簡易柵のワイヤが動物によって引っ張られ、引張力によってコーナーポストが変形しても、動物による引張力が無くなった後にはコーナーポストを形成する複数のポストによって、コーナーポストを元の状態に復元させてワイヤの切断の虞をなくすことが可能な動物用簡易柵のコーナーポストを提供することである。
【課題を解決するための手段】
【００１３】
１つの形態によれば、動物の通行を阻止する動物用柵において、ワイヤの張設方向を変更するコーナー部に設置する動物用簡易柵のコーナーポストであって、少なくとも１本の弾性を有するポストを含む複数のポストと、複数のポストの内の１本のポストの少なくとも１箇所に設けられ、ワイヤを保持して張設するワイヤ取付部とを備え、複数のポストの内の、弾性を有するポストの内の少なくとも１本は地面に対して垂直方向に立設され、地面に対して立設されたポストに対して、残りのポストは、連結部材によって互いに搖動可能に連結され、ワイヤ取付部には、回転することによりワイヤの保持位置を変更可能なプーリーが設けられ、ワイヤに引張力が作用した場合には、地面に対して立設されたポストが弾性変形することによって、プーリーを元の位置からポストに張設されたワイヤがなす内角の範囲内で地面に対して立設されたポストから離れる方向に移動させてワイヤの保持位置を変え、ワイヤへの引張力が消滅した場合に復元して、プーリーを元の位置に復帰させることを特徴とする動物用簡易柵のコーナーポストが提供される。
【発明の効果】
【００１４】
本発明の動物用簡易柵のコーナーポストによれば、動物用簡易柵に架線されたワイヤが動物によって引っ張られ、コーナーポストに大きな引張力がかかっても、弾性を備えたポストと補助ポストでその引張力を吸収し、引張力が無くなった後にコーナーポストが元の状態に復帰することが可能であり、ボストの破損、ワイヤの断線や弛みの発生を防止することができるという効果がある。
【図面の簡単な説明】
【００１５】
【図１】（ａ）はワイヤをコーナーポストの内側で保持した電気柵の一例の構成を示す斜視図、（ｂ）はワイヤをコーナーポストの外側で保持した電気柵の他の例のコーナーポストを示す斜視図である。
【図２】（ａ）は図１（ｂ）に示したコーナーポストにワイヤからの引張力が加わった時のコーナーポストの変形例を示す斜視図、（ｂ）は図１（ｂ）に示したコーナーポストに補助ポストを設置した変形例を示す斜視図である。
【図３】（ａ）は動物用簡易柵の、独立したコーナーポストの側面図、（ｂ）は（ａ）に示したコーナーポストが引張荷重により座屈倒壊した状態を示す側面図である。
【図４】（ａ）は動物用簡易柵の、補助ポストで補強されたコーナーポストの側面図、（ｂ）は（ａ）に示したコーナーポストが引張荷重により座屈倒壊した状態を示す側面図である。
【図５】（ａ）は四隅にコーナーポストを備える動物用柵の一例の平面図、（ｂ）は（ａ）に示した動物用柵のワイヤを動物が引掛けた状態を示す平面図、（ｃ）は（ｂ）に示した状態から動物が更にワイヤを引っ張った状態を示す平面図である。
【図６】（ａ）は四隅に本発明のコーナーポストを備える動物用柵に動物が接触していない時のワイヤの状態を示す平面図、（ｂ）は（ａ）に示した動物用柵の内部に動物が侵入し、ワイヤが内部に引っ張られた状態を示す平面図、（ｃ）は（ａ）に示した動物用柵のワイヤを動物が外側に引っ張った状態を示す平面図である。
【図７】一辺が５０ｍの矩形状の動物用柵において、４つのコーナーポストの内の１つのコーナーポストに取り付けられた架線具を動物用柵の内側に移動可能にした時に、ワイヤが内側に４ｍ引っ張られた時の移動可能な１つの架線具の移動量Ｓ１を、ＣＡＤで計算して拡大して示す説明図である。
【図８】一辺が５０ｍの矩形状の動物用柵において、４つのコーナーポストの内の２つのコーナーポストに取り付けられた架線具を動物用柵の内側に移動可能にした時に、ワイヤが内側に４ｍ引っ張られた時の２つの移動可能な架線具の移動量Ｓ１を、ＣＡＤで計算して拡大して示す説明図である。
【図９】（ａ）は本発明における動物用簡易柵のコーナーポストの基本概念に基づくコーナーポストの基本構造を示すものであり、コーナーポストに含まれるポストと補助ポストを弾性を備えた部材で形成した時の側面図、（ｂ）は（ａ）に示したコーナーポストにワイヤからの引張荷重が印加された時のコーナーポストと補助ポストの第１の変形状態を示す側面図、（ｃ）は（ａ）に示したコーナーポストにワイヤからの引張荷重が印加された時のコーナーポストと補助ポストの第２の変形状態を示す側面図である。
【図１０】（ａ）は本発明の第１の形態のコーナーポストの第１の実施例の構造を示す斜視図、（ｂ）は（ａ）に示したコーナーポストの平面図である。
【図１１】（ａ）は本発明の第１の形態のコーナーポストの第２の実施例に使用する連結部材の組立斜視図、（ｂ）は（ａ）に示した連結部材の組立後の平面図である。
【図１２】（ａ）は図１１（ｂ）に示した連結部材を使用した第２の実施例のコーナーポストの連結部の状態を示す部分拡大斜視図、（ｂ）は（ａ）に示した第２の実施例のコーナーポストの変形を示す説明図である。
【図１３】（ａ）は本発明の第１の形態のコーナーポストの第３の実施例に使用する連結部材の組立斜視図、（ｂ）は（ａ）に示した連結部材の組立後の斜視図である。
【図１４】図１３（ｂ）に示した連結部材を使用した第３の実施例のコーナーポストの連結部の状態を示す部分拡大斜視図である。
【図１５】（ａ）は本発明の第２の形態のコーナーポストの一実施例の構造を示す側面図、（ｂ）は（ａ）に示したコーナーポストにワイヤを通じて引張力が印加された時のコーナーポストと補助ポストの変形状態を示す側面図である。
【図１６】図１５に示した第２の形態のコーナーポストの連結部の状態を示す部分拡大斜視図である。
【図１７】（ａ）は本発明の第３の形態のコーナーポストの一実施例の構造を示す側面図、（ｂ）は（ａ）に示したコーナーポストにワイヤを通じて引張力が印加された時のコーナーポストと補助ポストの変形状態を示す側面図である。
【図１８】（ａ）は本発明の第３の形態のコーナーポストの変形実施例の構造を示す側面図、（ｂ）は（ａ）に示したコーナーポストにワイヤを通じて引張力が印加された時のコーナーポストと補助ポストの変形状態を示す側面図である。
【図１９】（ａ）は図１８に示した第３の形態のコーナーポストの変形実施例における伸縮部材の具体例を示す側面図、（ｂ）はコーナーポストにワイヤを通じて引張力が印加された時の（ａ）に示した伸縮部材の第１の状態を示す側面図、（ｃ）はコーナーポストにワイヤを通じて引張力が印加された時の（ａ）に示した伸縮部材の第２の状態を示す側面図である。
【図２０】本発明の第４の形態のコーナーポストの一実施例の構造を示す側面図である。
【図２１】図２０に示したコーナーポストの動作を示す部分側面図である。
【図２２】（ａ）は架線具に設けられるワイヤ外れ止め付プーリーの断面図、（ｂ）は架線具に設けられるプーリーの溝の形状の一例を示すプーリーの断面図、（ｃ）は（ａ）に示したプーリーが搖動可能にアームの先端部に取り付けられた状態の側面図、（ｄ）は架線具に取り付けられたプーリーへのワイヤの取付方法の一例を示す側面図、（ｅ）は架線具へのプーリーの別の取付例を示す側面図である。
【発明を実施するための形態】
【００１６】
以下、添付図面を用いて本出願の実施の形態を、具体的な実施例に基づいて詳細に説明するが、本発明の実施例を説明する前に、本発明を為すに至った経緯について、従来の電気柵を例にとって説明する。なお、以下に示す実施例では、動物用簡易柵に使用するコーナーポストとして、電気柵に使用するコーナーポストを説明するが、本発明のコーナーポストは、電気柵以外の、単にワイヤを張り巡らす簡易的な動物用柵のコーナーポストにも適用できる。
【００１７】
図１（ａ）は恒久的に設置する電気柵１０の構成を示すものである。電気柵１０は、例えば、耕作地Ｃの周囲に太く丈夫なポスト１を設置し、ポスト１に複数本の導電性のワイヤ２を平行に張り巡らし、各ワイヤ２に高電圧を発生する電源９から高い電圧を印加して、ワイヤ２に触れた野生動物を電気ショックで追い払い、動物の通行を阻止するものである。この例の電気柵１０は平面視矩形状をしており、４つのコーナー部に４本の牧柵用のポスト１が設けられているが、実際の恒久的な電気柵１０は耕作地Ｃの形状に合わせて設置され、ポスト１の間が長い場合には途中に中間ポストが設けられる。ワイヤ２は強靭な金属製の線であり、１本当たり５０〜１５０ｋｇｆ程度の張力で張設されている。
【００１８】
図１（ａ）に示した恒久的な電気柵１０では、ワイヤ２は架線具６によってポスト１の内側に張設されているたが、ワイヤ２は絶縁型の架線具６によってポスト１の内側に張設される形態ばかりではない。図１（ｂ）は、ワイヤ２がポスト１の外側に保持された恒久的な電気柵１０Ａを示している。図１（ｂ）にはワイヤ２がポスト１の外側に直接係止されているように描かれているが、実際には、ポスト１とワイヤ２との間にはコーナーポストの外側に絶縁型の架線具６が設けられている。
【００１９】
電気柵１０、１０Ａでは、通常は野生動物がワイヤ２に触れると電気ショックを受けるので、ワイヤ２には野生動物による荷重が加わり難い。しかし、何らかの原因でワイヤ２に野生動物が突っ込み、図２（ａ）に示す電気柵１０Ａの例のように、ワイヤ２が耕作地Ｃ側に矢印Ｆで示すように引っ張られると、ポスト１に加わるワイヤ２からの引っ張り荷重で、コーナーに設置された太く丈夫なポスト１でも破線で示すように倒れ、ポスト間のワイヤ２が緩み、フェンスとして機能しなくなる問題があった。
【００２０】
そこで、図２（ｂ）に示す電気柵１０Ｂのように、電気柵１０Ｂのコーナーに設置するポスト１の耕作地Ｃ側に、ポスト１を耕作地Ｃ側から支える補助ポスト３を斜めに設けて補強することが行われる。ポスト１の長手方向にはワイヤ２を架線するための架線具６が所定間隔で設けられている。
【００２１】
一方、図３（ａ）は簡易的に設置するポスト１に設けられた架線具６にワイヤ２が架け渡された動物用簡易柵の一般的なコーナーポストＣＰの側面図である。図３（ａ）に示したコーナーポストＣＰは、恒久的な柵のコーナーポストに比べてポスト１が細く、物理的にも強度の劣る材料で形成されているので、例えば肉厚０．５〜０．７５ｍｍの樹脂被覆鋼管等のワイヤ２が動物によって引っ張られた時の応力でポスト１が地面の近くで座屈して倒壊する場合がある。これに対して、図４（ａ）に示すコーナーポストＣＰのように、簡易柵用のポスト１に、簡易柵用の補助ポスト３を耕作地Ｃから斜めに取り付け、補助ポスト３の先端部をバインド線等の連結部材４によって完全に固定することが行われる。しかし、図４（ａ）に示す構造でも、ワイヤ２が動物によって引っ張られた時の応力がかなり大きい場合には、図４（ｂ）に示すように、ポスト１と補助ポスト３の両方が座屈し、柵の機能が失われる場合がある。このように、ポスト１を補助ポスト３で補強してもコーナーポストＣＰが折れ曲がる一因として、補助ポスト３の先端部が連結部材４によってポスト１に強固に固定されて自由度がないことが考えられる。
【００２２】
一方、本発明者らは、図５（ａ）に示した４つのコーナーポストＣＰにワイヤ２が張り巡らされた矩形の動物用恒久柵５に、図５（ｂ）に示したように動物Ａが侵入して後ろ脚でワイヤ２を引掛け、図５（ｃ）に示すように、かなり奥まで動物Ａが侵入した場合の動物用恒久柵５の変形について検証した。コーナーポストＣＰは屋外の地面に立て、検証における動物用恒久柵５のコーナーポストＣＰの間の距離は５０ｍとし、ワイヤ２はコーナーポストに固定せず移動可能とした。この状況で、ワイヤ２が引っ張られた場合のワイヤ２の移動及びコーナーポストＣＰの撓みについて検証した。
【００２３】
この結果、動物Ａの侵入距離に比べて、ワイヤ２をコーナーポストＣＰに固定せず、移動可能にすると、ワイヤ２が切れないために必要とされる長さは意外に小さいことが判明した。そして、ワイヤ２に一瞬の引張荷重が印加された場合、コーナーポストＣＰが一瞬倒れ込むと共にワイヤ２が移動し、引張荷重が無くなった時点でコーナーポストＣＰとワイヤ２が元の位置に戻れるならば、ワイヤ２の伸び代を確保でき、コーナーポストＣＰの倒壊とワイヤ２の切断を防止できることを見出した。
【００２４】
具体的に説明すると、例えば、図６（ａ）に示す一辺５０ｍの矩形状の動物用恒久柵５において、図６（ｂ）に示すように、動物が侵入して内側にワイヤ２を４ｍ引っ張った場合を考える。この場合、引っ張られたワイヤ２の両側に位置するコーナーポストＣＰが矢印で示すように、コーナーポストＣＰに張設されたワイヤ２がなす内角の範囲内で元の位置から離れる方向、即ち内側に約２０ｃｍ程度倒れ込んだとすると、ワイヤ２は破線で示すように移動し、ワイヤ２の伸び代が確保できることが分った。実際には、動物がワイヤ２を引張った場合は、ワイヤ２が内側に４ｍ引っ張られる前に動物は体をかわし、動物がワイヤ２から外れるので、コーナーポストＣＰが倒壊することは殆どない。
【００２５】
ここで、図６（ｂ）、（ｃ）に示したように、ワイヤ２が引っ張られた時に、ワイヤ２を移動させることができる本発明の動物用柵のコーナーポストＣＰの動作を確認するために、本発明者らはＣＡＤを用いて２通りのシミュレーションを行い、その結果を図７及び図８に示した。
【００２６】
図７は、一辺が５０ｍの矩形状の動物用柵において、４つのコーナーポストの内の１つのコーナーポストに取り付けられた架線具を動物用柵の内側に移動可能にした時の、架線具の移動量を計算したものである。この計算の結果、ワイヤが内側に４ｍ引っ張られた場合は、移動可能な１つの架線具の移動量Ｓ１は４２．１ｃｍとなった。
【００２７】
また、図８は、一辺が５０ｍの矩形状の動物用柵において、４つのコーナーポストの内の２つのコーナーポストに取り付けられた架線具を動物用柵の内側に移動可能にした時の、架線具の移動量を計算したものである。この計算の結果、ワイヤが内側に４ｍ引っ張られた場合は、移動可能な２つの架線具の移動量Ｓ１は２１．４ｃｍとなった。同様に、図示は省略するが、４つのコーナーポストの内の４つのコーナーポストに取り付けられた架線具を動物用柵の内側に移動可能にした場合は、４つの架線具の移動量Ｓ１は１１．０ｃｍで済むことが分った。
【００２８】
この状況は、一辺５０ｍの矩形状の動物用恒久柵５の内部にいる動物が、図６（ｃ）に示すように外側にワイヤ２を４ｍ引っ張った場合も同様である。この場合も、引っ張られたワイヤ２の両側に位置するコーナーポストＣＰが矢印で示すように内側に２１．４ｃｍ程度倒れ込むことになり、ワイヤ２は破線で示すように移動し、ワイヤ２の伸び代が確保できる。
【００２９】
上述の例では、２箇所のコーナーポストＣＰとワイヤ２が共に架線具の移動によって、ワイヤ２の伸び代が確保されるが、ワイヤ２を移動できるコーナーポストＣＰの数は何か所でも効果がある。前述の検証と同じ条件で、ワイヤ２が外側に引っ張られた場合も、移動するコーナーポストＣＰの数が１箇所の場合はコーナーポストＣＰの移動量が４２．１ｃｍ、２箇所の場合は２１．４ｃｍ、４箇所全てに移動できるコーナーポストＣＰを設置した場合は１１．０ｃｍとなる。このように、移動するコーナーポストＣＰの数が多くなるほど、１箇所あたりのコーナーポストＣＰが内側に移動する距離は短くて済む。なお、上述の例では一辺５０ｍの矩形状の柵の場合を説明しているが、柵の形状は矩形状に限定されるものではない。
【００３０】
ここで、図６（ｂ）、（ｃ）に示したように、ワイヤ２が引っ張られた時に、ワイヤ２を移動させることができる本発明の動物用簡易柵のコーナーポストＣＰを、いくつかの実施例に基づいて説明するが、実施例の説明の前に図９を用いて本発明の基本概念に基づく動物用簡易柵が備える基本的な構造を説明する。なお、以下に説明する実施例のコーナーポストＣＰは、図９に示す基本構造のコーナーポストを含めて、複数の支柱（ポスト）或いは補助ポストで形成され、複数のポストの内の少なくとも１本は弾性を備えている。そして、弾性を備えたポストが地面に立設されている。そして、ワイヤに加わる引張力によって弾性を備えるポストが変形しても、引張力の消滅時にはこのポストが弾性力で元の位置に戻るとする。更に、ワイヤ２は、ワイヤ２のコーナーポスト近傍における保持位置を変更可能な架線具６に保持されているものとする。
【００３１】
図９（ａ）は、本発明における動物用簡易柵のコーナーポストＣＰの基本概念に基づくコーナーポストＣＰの基本構造を示すものであり、コーナーポストＣＰに含まれるポスト１と補助ポスト３を弾性を備えた部材で形成した時の側面図である。ポスト１は地面に垂直に立設され、補助ポスト３の一端は地面Ｇに斜めに固定されており、補助ポスト３の他端は連結部材４によってポスト１に固定されている。補助ポスト３の連結部材４によるポスト１への固定は特に限定されない。このような構造のコーナーポストＣＰでは、ポスト１と補助ポスト３とが共に弾性を備える部材で形成されており、補助ポスト３の両端は固定されている。このため、ポスト１に取り付けられた架線具６に張設されたワイヤ２が引っ張られてコーナーポストＣＰに引張荷重が印加された場合は、ポスト１と補助ポスト３は、図９（ｂ）に示すような状態に変形するか、或いは図９（ｃ）に示すような状態に変形する。しかし、コーナーポストＣＰのポスト１と補助ポスト３が弾性を備えた部材で形成されているので、コーナーポストＣＰへの引張荷重が無くなった場合には、ポスト１と補助ポスト３の弾性力により、図９（ａ）に示した元の状態に復帰する。
【００３２】
図１０（ａ）、（ｂ）は、本発明の第１の実施例を示すものである。電気柵１０のコーナーに設置するコーナーポストＣＰのポスト１を弾性を備えた材料で形成すると共に、その先端部側に連結部材４を取り付け、この連結部材４に連結した２本の補助ポスト３の基部を耕作地Ｃに埋め込んで固定する。この場合、２本の補助ポスト３の材料は、ポスト１と同じ弾性を備えた材料で形成するか、或いはポスト１よりも柔らかく弾性を備えた材料で形成しても良い。尚、ポスト１と２本の補助ポスト３の太さは同じでも良く、また、ポスト１の太さよりも２本の補助ポスト３の太さを細くしても良い。
【００３３】
更に、ポスト１の耕作地Ｃにおける設置点Ｐ１に対して、２本の補助ポスト３の耕作地Ｃにおける固定点Ｐ２、Ｐ３は、例えば、固定点Ｐ２、Ｐ３を結ぶ線Ｌが、設置点Ｐ１を頂点とする二等辺三角形の底辺となるように、耕作地Ｃ内に設ければ良い。ポスト１の基部を耕作地Ｃに埋め込んだ形態が、本発明のコーナーポストＣＰの第１の形態である。なお、ワイヤ２は、例えばプーリーを備えた架線具６（詳細は後述）により保持されており、プーリーは回転軸に取り付けられている。このため、架線具６が元の位置から移動した場合には、プーリーの回転により、ワイヤ２の保持位置を変更することができる。
【００３４】
また、ポスト１の先端部側に取り付ける連結部材４は、ポスト１及び補助ポスト３に対しては上下動しないように固定するが、ポスト１と２本の補助ポスト３の相互の相対角度については自在に動けるようになっており、相互に変位が可能になっている。図１０（ａ）に示す第１の実施例では、ポスト１の先端部に固定された連結部材４に２つの孔４Ｈが設けられており、補助ポスト３の先端部がそれぞれ２つの孔４Ｈに挿通されている。このようにセットされると、ポスト１の上の連結部材４の位置は変わらないが、連結部材４に対するポスト１と補助ポスト３の取付角度は自由に変わるようになっている。連結部材４の形状は第１の実施例の形状に限定されるものではなく、２本の補助ポスト３の先端部がポスト１の先端部に対して自在に動ければどのような形状でも良い。
【００３５】
図１１（ａ）は本発明の第１の形態の第２の実施例のコーナーポストＣＰのポスト１と補助ポスト３に取り付ける連結部材４の組立前の状態を示している。連結部材４には３本の筒状体４０、４１、４２がある。図１２（ａ）に示すように、中央の筒状体４０に設けられた貫通孔４０Ｈにポスト１の先端部が挿通されてポスト１上を動かないように固定され、残りの２本の筒状体４１、４２に設けられた貫通孔４１Ｈ、４２Ｈにそれぞれ補助ポスト３の先端部が挿通されて同様にポスト１上を動かないように固定される。中央の筒状体４０の側面の対向位置には軸４３に支持された球状体４４が設けられている。一方、両側の筒状体４１、４２の側面には、球状体４４を受け入れる凹部４５が設けられた受軸４６がそれぞれ設けられている。
【００３６】
球状体４４は受軸４６の先端部に開口する凹部４５に嵌め込まれる。凹部４５には球状体４４を受け入れる球状凹部４５Ｓが形成されており、球状体４４と球状凹部４５Ｓとの間には僅かな隙間が形成されているので、受軸４６は軸４３に対して自在に回転が可能である。球状体４４を先端部に備えた軸４３を、球状凹部４５Ｓがある凹部４５を備える受軸４６に嵌め込んで、受軸４６を軸４３に対して自在に移動させる構造は公知であるので、これ以上の説明を省略する。
【００３７】
図１１（ｂ）は図１１（ａ）に示した連結部材４の球状体４４が受軸４６内にある球状凹部４５Ｓに嵌め込まれた状態を示すものである。球状体４４と球状凹部４５Ｓの嵌合によって、中央の筒状体４０の両側に位置する２つの筒状体４１、４２は、中央の筒状体４０に対してそれぞれ矢印Ｒで示す方向に回転できると共に、矢印Ｓで示す方向に搖動することができる。
【００３８】
図１２（ａ）は、図１１（ｂ）に示した連結部材４を使用した第２の実施例のコーナーポストＣＰの連結部の状態を示すものである。中央の筒状体４０にはポスト１の先端部が挿入されて固定されている。また、中央の筒状体４０の両側に、受軸４６によって連結された２つの筒状体４１、４２には、２本の補助ポスト３の先端部がそれぞれ挿入されて固定されている。
【００３９】
図１２（ｂ）は図１２（ａ）に示した第２の実施例のコーナーポストＣＰにおけるポスト１と補助ポスト３の引張力による変形の一例を説明するものである。ポスト１が引張力によって破線で示す位置から耕作地Ｃ側に曲がる変形した場合、２本の補助ポスト３も変形し、２本の補助ポスト３のポスト１に対する位置が変化する。しかし、図１１（ｂ）において説明したように、連結部材４の中央の筒状体４０の両側に位置する２つの筒状体４１、４２は、矢印Ｒで示す方向と矢印Ｓで示す方向に移動できるので、この変化に追従して変化することができる。そして、コーナーポストＣＰに加わる引張力が無くなった時に、ポスト１と２本の補助ポスト３の復元力により、連結部材４は図１２（ｂ）に破線で示す状態に戻る。２本の補助ポスト３の耕作地Ｃにおける固定点Ｐ２、Ｐ３は、地面に対してある角度を持って挿入されている。
【００４０】
図１３（ａ）は本発明の第１の形態の第３の実施例のコーナーポストＣＰに使用する連結部材４の組み立て前の状態を示すものである。第３の実施例における連結部材４は、３枚の同形状の上板１１、１２、１３と、３枚の同形状の下板２１、２２、２３及び上板１１、１２、１３と下板２１、２２、２３に挟まれる弾性を有するフレキシブル部材３０とを備えている。３枚の上板１１、１２、１３と３枚の下板２１、２２、２３はある程度の固さを備えた矩形状（正方形状）の板部材である。３枚の上板１１、１２、１３と３枚の下板２１、２２、２３の、四隅の同じ位置にネジ挿通孔２０が設けられ、中央部にコーナーポストと補助ポストの直径よりも僅かに内径の大きな貫通孔１６、２６が設けられている。
【００４１】
一方、フレキシブル部材３０は、３枚の上板１１、１２、１３と３枚の下板２１、２２、２３よりも板厚が厚い柔軟な材料、例えばウレタン樹脂等で形成されている。フレキシブル部材３０には、３枚の上板１１、１２、１３と３枚の下板２１、２２、２３に重なる重なり部３１、３２、３３と、連結部３４とを備えている。フレキシブル部材３０の四隅の、上板１１、１２、１３と下板２１、２２、２３と同じ位置にはネジ挿通孔５０が設けられ、中央部にコーナーポストと補助ポストの直径よりも内径の小さな貫通孔３６が設けられている。
【００４２】
フレキシブル部材３０の重なり部３１、３２、３３の上部にはそれぞれ３枚の上板１１、１２、１３が重ねられ、下部にはそれぞれ３枚の下板２１、２２、２３が重ねられてネジ１４とナット１５で締結されて連結部材４が出来上がる。図１３（ｂ）は図１３（ａ）に示した連結部材４の組立後の状態を示している。組み立てられた連結部材４では、上板１１、１２、１３にある貫通孔１６、下板２１、２２、２３にある貫通孔２６及びフレキシブル部材３０にある貫通孔３６の軸線が一致している。フレキシブル部材３０に設けられた貫通孔３６の内径はポスト１と２本の補助ポスト３の直径より小さいが、フレキシブル部材３０は柔軟な材料で形成されているので、ポスト１と２本の補助ポスト３は貫通孔３６を押し広げて挿通できる。
【００４３】
図１４は、図１３（ｂ）に示した連結部材４を使用した第３の実施例のコーナーポストＣＰの連結部の状態を示すものであり、連結部材４にはポスト１と２本の補助ポスト４が取り付けられている状態を示している。上板１１、１２、１３にある貫通孔１６と下板２１、２２、２３にある貫通孔２６を挿通するポスト１と２本の補助ポスト３は、フレキシブル部材３０の貫通孔を形成する柔軟な材料の弾性力で固定されている。このように、連結部材４がねじれた状態にあると、上板１１、１２、１３の孔１６を、下板２１、２２、２３の孔２６のエッジが、ポスト１に対してエッジを立てる形になり、ポスト１の上下方向の移動を阻止するようになっている。尚、上板１２の上部に、ポスト１に一層強固に連結部材４を固定するための留め具を取り付けても良い。
【００４４】
図１５（ａ）は、本発明の第２の形態のコーナーポストＣＰの一実施例の構造を示すものである。第１の形態のコーナーポストＣＰは、ポスト１の基部が地面に埋められて固定されていたが、第２の形態のコーナーポストＣＰは、耕作地Ｃの外側に設けられたポスト１Ａに垂直方向に保持されている。即ち、第２の形態では、ポスト１の先端部には連結部材７によって補助ポスト３が連結されると共に、連結部材７でポスト１Ａの先端部に固定されている。ポスト１Ａは弾性を備える材料で形成されており、その基部は地中に埋められて固定されている。また、ポスト１の下端部は耕作地Ｃの地面まで達しておらず、バネ８でポスト１Ａの基部の近傍に連結されている。ポスト１に設けられた架線具６にワイヤ２が掛け渡されている点は第１の形態のコーナーポストＣＰと同じである。なお、前述のように、ワイヤ２は、例えばプーリー（詳細は後述）を備えた架線具６により保持されており、プーリーは回転軸に取り付けられている。このため、架線具６が元の位置から移動した場合には、プーリーの回転により、ワイヤ２の保持位置を変更することができる。
【００４５】
図１６は、図１５に示した第２の形態のコーナーポストＣＰのポスト１先端部に設けられる連結部材７の一実施例を示すものである。本実施例の連結部材７は、図１２に示した第１の形態の第２の実施例で使用される連結部材４の中央の筒状体４０の側面が、結合部材７１によって別の筒状体７０に結合されて形成される。連結部材７において第１の形態の第２の実施例で使用される連結部材４と同じ構造を備える部分については、連結部材４と同じ番号を付してその説明を省略する。筒状体７０は結合部材７１によって筒状体４０に平行になっており、筒状体７０にポスト１Ａの先端部が固定される。ポスト１の下端部はバネ８によってポスト１Ａの基部に連結されている。
【００４６】
図１５（ｂ）は図１５（ａ）に示したコーナーポストＣＰにワイヤ２からの引張力が加わった時のポスト１及び補助ポスト３、５の変形の一例を示すものである。ポスト１は、その先端部が連結部材７で補助ポスト３に連結されると共にポスト１Ａに固定され、その下端部がバネ８でポスト１Ａに連結されている。このため、コーナーポストＣＰにワイヤ２からの引張力が加わると、補助ポスト３とポスト１Ａが耕作地Ｃ側に湾曲し、ポスト１はバネ８を伸長させながら余り変形せずに耕作地Ｃ側に移動する。この構成では、ワイヤ２からの引張力が無くなると、弾性材料で形成された補助ポスト３、５の復元力により、コーナーポストＣＰが図１５（ａ）に示した状態に復元し易い。
【００４７】
図１７（ａ）は、本発明の第３の形態のコーナーポストＣＰの一実施例の構造を示すものである。第１の形態のコーナーポストＣＰは、ポスト１の基部が地面に埋められて固定されていた。また、第２の形態のコーナーポストＣＰは、耕作地Ｃの外側に設けられたポスト１Ａに、ポスト１の先端部が連結部材７で取り付けられ、ポスト１の下端部がバネ８で連結されて垂直方向に保持されていた。一方、第３の形態のコーナーポストＣＰは、ポスト１の先端部が連結部材７によってポスト１Ａに取り付けられる点は第２の形態と同じである。しかし、ポスト１の下端部がポスト１Ａよりも外側の地面に埋め込まれたアンカー５５にバネ８で連結されている点が第２の形態と異なる。補助ポスト３とポスト１Ａは弾性材料で形成されており、ポスト１に設けられた架線具６にワイヤ２が掛け渡されている点は第１及び第２の形態のコーナーポストＣＰと同じである。また、連結部材７の構造は第２の形態で使用した連結部材７と同じで良い。なお、ワイヤ２は、例えばプーリー（詳細は後述）を備えた架線具６により保持されており、プーリーは回転軸に取り付けられている。このため、架線具６が元の位置から移動した場合には、プーリーの回転により、ワイヤ２の保持位置を変更することができる。
【００４８】
図１７（ｂ）は図１７（ａ）に示したコーナーポストＣＰにワイヤ２からの引張力が加わった時のポスト１及び補助ポスト３、５の変形の一例、及びバネ８の状態を示すものである。ポスト１は、その先端部が連結部材７で補助ポスト３に連結されると共にポスト１Ａに固定され、ポスト１の下端部がバネ８で地面に固定したアンカー５５に連結されている。このため、コーナーポストＣＰにワイヤ２からの引張力が加わると、補助ポスト３とポスト１Ａが耕作地Ｃ側に湾曲し、ポスト１はバネ８を伸長させながら余り変形せずに耕作地Ｃ側に移動する。この構成では、ワイヤ２からの引張力が無くなると、弾性材料で形成された補助ポスト３、５の復元力により、コーナーポストＣＰが図１０（ａ）に示した状態に復元し易い。
【００４９】
図１８（ａ）は本発明の第３の形態のコーナーポストＣＰの変形実施例の構造を示すものである。第３の形態の変形実施例のコーナーポストＣＰが第３の形態のコーナーポストＣＰと異なる点は、ポスト１の下端部が伸縮部材８０を介して、ポスト１Ａよりも外側の地面に埋め込まれたアンカー５５にバネ８で連結されている点である。変形実施例のその他の構造は第３の形態と同じである。ワイヤ２はプーリーを備える架線具６により保持されており、架線具６が元の位置から移動した場合には、プーリーが回転することにより、架線具６によるワイヤ２の保持位置を変更することができる点も同様である。
【００５０】
伸縮部材８０は、例えば、図１９（ａ）に示すように、ベース部８１、ブラケット８２、アーム８３、及びポスト保持部８４を備えるヒンジ部材８０で形成することができる。ベース部８１の一端にはバネ８が接続されており、ベース部８１の他端には、アーム８３の基部を回転可能に保持するブラケット８２が設けられている。アーム８３は、図示しないバネによってベース部８１側に付勢されており、ポスト１に引張力が加わらない状態ではベース部８１の上にある。アーム８３の先端部はポスト１の下端部を保持するポスト保持部８４にある長穴８５に係合している。
【００５１】
図１９（ｂ）は、コーナーポストＣＰにワイヤを通じて引張力が印加された時のヒンジ部材８０の動作を示すものである。ポスト１が引張力により図の左側に移動すると、ヒンジ部材８０はバネ８を伸長させながら左側に移動すると共に、アーム８３がブラケット８２を中心にしてベース部８１から離れる方向に回転する。ポスト１が引張力により更に図の左側に移動すると、図１９（ｃ）に示すように、ヒンジ部材８０はバネ８を更に伸長させながら左側に移動すると共に、アーム８３がブラケット８２を中心にしてベース部８１から離れる方向に最大限回転する。図１９（ｃ）に示す状態の時のコーナーポストＣＰのポスト１及び補助ポスト３、５の状態が図１８（ｂ）に示される。
【００５２】
図１８（ｂ）は図１８（ａ）に示したコーナーポストＣＰにワイヤ２からの引張力が加わった時のポスト１、補助ポスト３、５及びヒンジ部材８０の変形の一例及びバネ８の状態を示すものである。ポスト１は、その先端部が連結部材７で補助ポスト３に連結されると共にポスト１Ａに固定され、ポスト１の下端部がヒンジ部材８０を介してバネ８で地面に固定したアンカー５５に連結されている。このため、コーナーポストＣＰにワイヤ２からの引張力が加わると、補助ポスト３とポスト１Ａが耕作地Ｃ側に湾曲し、ポスト１はヒンジ部材８０とバネ８を伸長させながら僅かに変形した状態で耕作地Ｃ側に移動する。この構成では、ワイヤ２からの引張力が無くなると、弾性材料で形成された補助ポスト３、５の復元力により、コーナーポストＣＰが図１８（ａ）に示した状態に復元し易い。
【００５３】
図２０は本発明の第４の形態のコーナーポストＣＰの一実施例を示すものであり、本実施例には架線具６に設けられたプーリー６１を図示してある。本形態のコーナーポストＣＰには、一端から所定長さが地面Ｇに埋め込まれ、地面Ｇに対して垂直方向に立設される弾性を備えた第１支柱９１と、第１支柱９１の上端部に連結部材４によって取り付けられ、他端が地面Ｇの方向に延伸された剛性を備えた第２支柱９２がある。連結部材４は、第１支柱９１に対して第２支柱９２を搖動可能に連結する。
【００５４】
第２支柱９２には、コーナーポストＣＰに張設されるワイヤ２の数に合わせて、少なくとも２箇所にプーリー６１を備えた架線具６が取り付けられる。プーリー６１は、図示を省略した係止部材によって、第２支柱９２に回転可能に取り付けられる。また、プーリー６１とプーリー６１との間には所定の間隔が設けられている。プーリー６１にはワイヤ２が掛け渡されており、プーリー６１が移動して架線具６によるワイヤ２の保持位置が変わる場合には、プーリー６１が回転する。
【００５５】
そして、連結部材４は、ワイヤ２に外力が印加されていない状態で、第２支柱９２と第１支柱９１とのなす角度を一定に保持し、第２支柱９２と第１支柱９１との間に隙間を作ってプーリー６１が第１支柱９１に干渉せずに回転できるようにする。本実施例では、第２支柱９２にプーリー６１を備えた２つの架線具６が取り付けられているが、第２支柱９２に取り付ける架線具６の数や、架線具６のプーリー６１とプーリー６１との間の間隔は限定されるものではない。
【００５６】
以上のような構造を備えるコーナーポストＣＰでは、図５（ｃ）に示したように、動物Ａによってワイヤ２が引っ張られると、ワイヤ２によって架線具６が第１支柱９１から離れる方向に引っ張られる。すると、図２０に示した構造を備えるコーナーポストＣＰでは、第２支柱９２は剛性を備えているので湾曲せず、図２１に示すように、連結部材４によって第２支柱９２と第１支柱９１とのなす角度が増大する方向に第２支柱９２は移動する。このとき、連結部材４も、ワイヤ２によって第２支柱９２の移動方向に引っ張られる。そして、連結部材４がワイヤ２によって第２支柱９２の移動方向に引っ張られると、第１支柱９１は弾性を備えているので、第２支柱９２の移動方向に弾性変形する。
【００５７】
この結果、ワイヤ２を保持する架線具６が元の第１支柱９１の位置からワイヤ２が引っ張られる方向に移動すると共に、架線具６のプーリー６１が回転してワイヤ２を保持する位置が変更される。前述のように、一般に５０ｍ程度の動物用柵に本実施例のコーナーポストＣＰを使用する場合は、ワイヤ２が引っ張られた時に、架線具６が第１支柱９１の元の位置に対して約２０ｃｍ程度移動できるように、第１支柱９１の弾性及び連結部材４による第１支柱９１と第２支柱９２の開き角度の大きさを定めれば良い。
【００５８】
ワイヤ２が引っ張られなくなると、本実施例のコーナーポストＣＰでは、第１支柱９１が弾性力によって地面Ｇに対して垂直な位置まで復元し、連結部材４が第１支柱９１と第２支柱９２の開き角度を、架線具６のプーリー６１が第１支柱９１に干渉しない最小の角度まで戻す。この結果、本実施例のコーナーポストＣＰは図２０に示した状態に戻る。架線具６が元の位置に戻る際も、プーリー６１が回転して架線具６がワイヤ２を保持する位置が変わる。
【００５９】
以上説明したように、本実施例の動物用簡易柵のコーナーポストＣＰは、動物がワイヤを引っ張ってワイヤ２が掛け渡された架線具６を移動させると、第１支柱９１が弾性変形し、第１支柱９１と第２支柱９２のなす角度が大きくなって、架線具６を第１支柱９１の元の位置から離す方向に移動させる。また、架線具６の移動時に、プーリー６１が回転して架線具６によるワイヤ２の保持位置が変わるので、ワイヤ２に大きな負荷が加わらずワイヤ２の切断が防止される。更に、ワイヤ２への動物による荷重が解放された後には第１支柱９１の復元力により、ワイヤ２を元の張設状態に戻すことが出来る。第１支柱９１は弾性部材であれば特に材質に限定はなく、第２支柱９２も剛性を備える部材であれば、特に材質に限定はない。
【００６０】
ここで、図２２（ａ）から（ｅ）を用いて本発明のコーナーポストＣＰに使用できる架線具６の構造を、幾つかの例を用いて説明する。コーナーポストＣＰとしては、例えば、図２０に示したコーナーポストＣＰを例に取り、その架線具６に取り付けることができるプーリー６１を説明する。
【００６１】
図２２（ａ）に示す例では、プーリー６１がアーム６２から外れないようにプーリー６１の両側を係止する係止部材６３の一方が、プーリー６１の溝６１Ｍを横切るように延長された延長部６３Ｅを備え、この延長部６３Ｅがワイヤ外れ止めになっている。図２２（ｂ）に示す例では、アーム６２が傾いてプーリー６１が傾いても、プーリー６１の溝６１Ｍに保持されたワイヤが溝６１Ｍから外れないように、溝６１Ｍの断面形状がＶ字状になっている。図２２（ｃ）に示す例では、図２２（ａ）に示したワイヤ外れ止め付プーリー６１が、回動軸６４が設けられたアーム６２の回動軸６４より先端側に取り付けられており、搖動可能になっている。
【００６２】
図２２（ｄ）に示す例では、架線具６のアーム６２に取り付けられたプーリー６１の構造に変わりがないが、プーリー６１巻き付けるワイヤ２が、プーリー６１に対して２回巻きの状態で取り付けられている。プーリー６１に対してワイヤ２を２回巻き付けると、プーリー６１が傾いても、プーリー６１からワイヤ２が外れ難い。図２２（ｅ）に示す例では、アーム６２の側面に突設された板状の突起６５に回転軸６６でプーリー保持板６７が回動自在に取り付けられている。そして、プーリー保持板６７の自由端部に設けられた筒状部６８に、リング状のプーリーの留め具６９の直線部が回転可能に保持されている。この構造により、プーリー６１はアーム６２に対して３次元方向に移動が可能することができる。
【符号の説明】
【００６３】
１    ポスト
２    ワイヤ
３    補助ポスト
４、７    連結部材
６    架線具
８    バネ
６１    プーリー
９１    第１支柱
９２    第２支柱
ＣＰ    コーナーポスト
Ｃ    耕作地
【図１】
2016192921.tif 000003
【図２】
2016192921.tif 000004
【図３】
2016192921.tif 000005
【図４】
2016192921.tif 000006
【図５】
2016192921.tif 000007
【図６】
2016192921.tif 000008
【図７】
2016192921.tif 000009
【図８】
2016192921.tif 000010
【図９】
2016192921.tif 000011
【図１０】
2016192921.tif 000012
【図１１】
2016192921.tif 000013
【図１２】
2016192921.tif 000014
【図１３】
2016192921.tif 000015
【図１４】
2016192921.tif 000016
【図１５】
2016192921.tif 000017
【図１６】
2016192921.tif 000018
【図１７】
2016192921.tif 000019
【図１８】
2016192921.tif 000020
【図１９】
2016192921.tif 000021
【図２０】
2016192921.tif 000022
【図２１】
2016192921.tif 000023
【図２２】
2016192921.tif 000024